(57)【要約】  【課題】  シートを二つ折りとなる吊り下げ状態で積載するに際し、複数枚の異なるサイズのシートを積載する場合でも、容易に揃った状態で積載することができるシート収納機構を提供する。  【解決手段】  排出口６の送り出し方向下流側に配されたシート支持棒７（２２）と、シート支持棒の２箇所に当接可能な２個の当接部材１０、１８（２４、２５）と、を備える。排出口からのシート１２の送り出し量に応じて２個の当接部材を交互にシート支持棒に係止させることにより、排出されたシートを当接部材によりシート支持棒に係止した状態で該シート支持棒に吊り下げる。【選択図】  図３
2008094565.tif 000002
【特許請求の範囲】
【請求項１】
排出口から排出されるシートを収納するシート収納機構において、
前記排出口の送り出し方向下流側に配されたシート支持棒と、前記シート支持棒の２箇所に当接可能な２個の当接部材と、を備え、
前記排出口からのシートの送り出し量に応じて前記２個の当接部材を交互にシート支持棒に係止させることにより、排出されたシートを前記当接部材により前記シート支持棒に係止した状態で該シート支持棒に吊り下げることを特徴とするシート収納機構。
【請求項２】
前記排出口と前記シート支持棒の間に、排出されるシートを該シート支持棒まで案内するためのシートガイドを配することを特徴とする請求項１に記載のシート収納機構。
【請求項３】
前記シートガイドは、前記排出口と前記シート支持棒との間にシートの垂れ下がりを許容するための空間を形成する退避位置へ移動可能であることを特徴とする請求項２に記載のシート収納機構。
【請求項４】
前記当接部材は、前記シート支持棒にシートを係止する当接位置と該シート支持棒から離間する退避位置の間で移動可動であることを特徴とする請求項１乃至３のいずれか１項に記載のシート収納機構。
【請求項５】
前記当接部材は、前記シート支持棒に対して、平行な姿勢で移動可動であることを特徴とする請求項４に記載のシート収納機構。                                            
【請求項６】
画像情報に基づいて記録ヘッドによりシートに画像を記録する記録装置において、請求項１乃至５のいずれか１項のシート収納機構を具備することを特徴とする記録装置。
【請求項７】
前記記録ヘッドは、吐出口からインクを吐出して画像を記録するインクジェット記録ヘッドであることを特徴とする請求項６に記載の記録装置。
【請求項８】
排出口から排出されるシートを収納するシート収納機構において、
前記排出口の送り出し方向下流側に配された支持棒と、
前記排出口から排出されるシートを前記支持棒の前記送り出し方向下流側に案内する第１の位置と、上流側に案内する第２の位置とに移動可能な案内部材と、
前記支持棒の２箇所に当接可能な第１、第２の当接部材と、
を備え、
前記排出口から排出されるシートを途中まで前記第１の位置に位置する前記案内部材によって前記支持棒の前記送り出し方向下流側に案内し、シートの前記支持棒の前記送り出し方向下流側に案内された部分を前記第１の当接部材によって前記支持棒に押圧し、次いで前記案内部材を前記第２の位置に移動させ、シートの残りの部分を前記支持棒の前記送り出し方向上流側に案内し、シートの前記支持棒の前記送り出し方向上流側に案内された部分を前記第２の当接部材によって前記支持棒に押圧することによって、
排出されたシートを前記支持棒に吊り下げることを特徴とするシート収納機構。
【発明の詳細な説明】
【技術分野】
【０００１】
本発明は、記録装置等から排出されるシートを収納するためのシート収納機構及びこれを用いる記録装置に関する。
【背景技術】
【０００２】
プリンタ、プロッタ、複写機、スキャナ等の記録装置は画像出力装置として広く使用されている。この記録装置は、画像情報に基づいて記録ヘッドにより被記録材に画像を記録するものである。被記録材としては、記録紙やプラスチックシートなどのシート材（以下、シートと称する）が一般に使用されている。本発明に係るシート収納機構は、記録装置等の画像出力装置から排出されるシートを収納するために使用され、特に大型のシートを収納するのに好適なものである。
【０００３】
記録装置等における従来の一般的なシート収納機構は、水平あるいは水平に近似した斜め方向に排出される記録紙等のシートを水平面もしくは斜面からなるトレイに広げたままの状態で積載するように構成されている。これとは異なる形態のシート収納機構として、排出されてくるシートをシート支持棒に吊り下げ状態で積載するものが知られている。このような吊り下げ式のシート収納機構は、例えば特許文献１に開示されている。この種のシート収納機構では、排出口から送り出し方向所定距離の位置にシート支持棒（用紙係止棒）を配設し、排出されてくるシートをこのシート支持棒に吊り下げるように構成されている。また、シート支持棒の近傍には、送り出されるシートを該シート支持棒に係止させるための当接部材（ストッパー）が配されている。
【特許文献１】特開平０５−０５８５３２号公報
【発明の開示】
【発明が解決しようとする課題】
【０００４】
しかしながら、従来のシートを水平あるいは水平に近い傾斜状態で積載するシート収納機構の場合は、少なくともシートの面積と同等あるいはそれ以上の積載スペースが必要である。このため、特にシートが大版である場合、必然的にシートの積載手段が大型になり、機器の全体構成が大型になってしまう。また、大型化のため、シート積載手段の剛性を高めることも必要になる。
【０００５】
一方、特許文献１に記載されているようなシートを吊り下げて積載する方式では、積載スペースの問題は解消することができる。しかしながら、従来の吊り下げ方式の場合は、送り出されるシートを棒部材に吊り下げているだけである。このため、サイズの異なるシートを重ねて積載してゆくと、シートにズレが生じやすく、揃った状態で積載することが困難であった。さらには、シートがシート支持棒からズレ落ちることもあり、シート上の画像が損傷する原因になることもあった。
【０００６】
本発明はこのような技術的課題に鑑みてなされたものである。本発明の目的は、シートを二つ折りとなる吊り下げ状態で積載するに際し、複数枚の異なるサイズのシートを積載する場合でも、容易に揃った状態で積載することができるシート収納機構を提供することである。
【課題を解決するための手段】
【０００７】
本発明は、排出口から排出されるシートを収納するシート収納機構に関する。本発明に係るシート収納機構は、排出口の送り出し方向下流側に配されたシート支持棒と、シート支持棒の２箇所に当接可能な２個の当接部材と、を備える。そこで、排出口からのシートの送り出し量に応じて２個の当接部材を交互にシート支持棒に係止させることにより、排出されたシートを当接部材によりシート支持棒に係止した状態で該シート支持棒に吊り下げる。
【発明の効果】
【０００８】
本発明によれば、シートを二つ折りとなる吊り下げ状態で積載するに際し、複数枚の異なるサイズのシートを積載する場合でも、容易に揃った状態で積載することができるシート収納機構が提供される。
【発明を実施するための最良の形態】
【０００９】
以下、図面を参照して本発明の実施形態を具体的に説明する。なお、各図面を通して同一符号は同一又は対応部分を示すものである。
（第１の実施形態）
図１は、本発明の第１の実施形態に係るシート収納機構において、シートガイドが退避位置にあるときの状態を示す斜視図である。図２は図１のシート収納機構においてシートガイドが案内位置にあるときの状態を示す中央部縦断面図である。図３は図１のシート収納機構のシートガイドが退避位置にあるときの中央部縦断面図である。図１〜図３において、本実施形態に係るシート収納機構１００は、記録装置５００に接続されている。本実施形態は、記録装置５００が大判のインクジェット式のプリンタである場合を示す。記録装置５００は、連続した被記録材であるロール紙に画像を記録する装置であり、その内部に記録手段（記録ヘッド）１、ロール紙３、給紙機構４及び搬送機構５などを具備している。記録装置５００はスタンド１３上に固定されている。
【００１０】
ロール紙３から引き出されたシート（シート状の被記録材）１２は、給紙機構４により記録ヘッド１へ向けて給送され、搬送機構５により搬送される間に記録ヘッド１により画像を記録される。記録されたシート１２は排出口６から送り出される。さらに、記録済みとなったシート１２は、排出口６の内側に配されたカッター２により所定長さに切断されて排出口６から排出される。図示の排出口６は、その下辺６ａが送り出し方向に所定長さだけ延び出している。
【００１１】
記録手段である記録ヘッド１は、画像情報を基づいて被記録材に画像（文字や記号等も含む）を記録するものであり、インクジェット式の場合は、画像情報に基づいて記録ヘッドの複数の吐出口からシートへインクを吐出して記録が行われる。被記録材１２はシート状をしており、以下では単にシートと称する。また、このシートの材質は、紙、プラスチックシート、写真調印画紙、皮革など、画像を記録できるものであれば種々のものを使用することができる。
【００１２】
記録装置５００の排出口６には、排出されるシートを収納保持するためのシート収納機構１００が接続されている。シート収納機構１００は、記録装置５００に隣接した所定位置に配されるべく、スタンド１３に連結された左右一対の脚８、９により支持されている。一対の脚８、９は、シート１２（ロール紙３）の幅より若干広い間隔をもって立設され、ステー１４で連結されることで剛性の高いフレームを形成している。また、一対の脚８、９の中間位置には、両側の脚を連結するようにシート支持棒７（支持棒）が配されている。このシート支持棒７は、排出されたシート１２を吊り下げ状態で積載するための棒状の部材である。シート支持棒７は排出口６の送り出し方向下流側の所定位置に排出口６と平行に配されている。排出口６（延び出し部６ａ）とシート支持棒７との間には、排出されるシート１２をシート支持棒７へ案内するための案内部材としてのシートガイド１１が配されている。シートガイド１１はシート１２をシート支持棒７の送り出し方向の下流側に案内する第１の位置とシート支持棒７のシート送り出し方向上流側に案内する第２の位置とに移動可能である。
【００１３】
シートガイド１１は、排出口６の近傍の左右に設けられた軸受部で、図２の案内位置（第１の位置）と図３の退避位置（第２の位置）との間で回動可動に軸支されている。本実施形態では、シートガイド１１は、記録中のシート１２の送り出し量に応じて、案内位置と退避位置との間で位置を制御される。この場合の送り出し量は、記録済みのシート１２の排出口６からの送り出された長さを検知することにより求められる。シート支持棒７の両端部にはフランジ１５、１６が設けられている。これらのフランジのそれぞれには、円周方向の２箇所に当接部材１０、１８が配されている。
【００１４】
当接部材１０、１８は、シート支持棒７の周面に押圧される当接位置とシート支持棒の周面から離間する退避位置との間で移動可動（例えば回動可動）に支持されている。当接部材１０、１８は、当接位置にあるときはシート１２をシート支持棒７に押圧して係止させる。また、当接部材１０、１８のそれぞれは、記録中のシート１２の送り出し量に応じて、当接位置及び退避位置のいずれをとるか制御される。このように、本実施形態のシート収納機構１００には、シート支持棒７の２箇所に当接可能な２個の当接部材１０、１８が設けられている。本実施形態では、一方の当接部材１０（第２の当接部材）は、記録終了後にシート支持棒７に吊り下げられるシート１２を該シート支持棒に係止するために使用される。他方の当接部材１８（第１の当接部材）は、シート１２をシート支持棒７に吊り下げる過程で必要となるシートの撓みを形成するために使用される。
【００１５】
次に、図１〜図３を用いて、第１の実施形態に係るシート収納機構１００の構成及び動作について説明する。図２の状態では、シートガイド１１は排出されるシート１２を撓みのない自然形をもって案内する第１の位置にあり、当接部材１０はシート１２をシート支持棒７に係止（押圧）する当接位置にあり、当接部材１８はシート１２に接触しない退避位置にある。記録装置５００により目的の画像記録の最中もしくは目的の画像記録を終了したシート１２は、図２に示すように、排出口６から排出され、シート収納機構１００のシートガイド１１に沿って案内された後、シートガイド１１の先端部（下流側端部）から垂下する。そして、シート支持棒７のシート送り出し方向下流側（図示右側）の周面に沿いながら送り出される。
【００１６】
送り出されるに従って、シート１２の目的の画像記録が行われる（又は行われた）長さの中間部分（例えば略中央部分）がシート支持棒７の上に到達した状態となる。図２中のシート１２は、このようなシート長さの半端に達した状態を示す。この位置がシート支持棒７に到達したことは、シートの送り出し量及び画像記録の長さに基づいて検知することができる。これを検知した時点、又はこの直後に、シートガイド１１及び当接部材１０、１８を、図２の状態から図３の状態へ移動させる。図３の状態では、シートガイド１１は案内位置から退避位置へ移動し、一方の当接部材１８は退避位置から当接位置へ移動し、シートの、シート支持棒７の下流側に案内された部分をシート支持棒に押圧する。他方の当接部材１０は当接位置から離間位置へ移動している。
【００１７】
すなわち、本実施形態では、排出口６からのシート１２の送り出し量に応じて２個の当接部材１０、１８を交互にシート支持棒７に係止させるように構成されている。また、かかる当接部材１０、１８の動作により、排出されたシート１２を当接部材１８によりシート支持棒７に係止した状態で該シートを該シート支持棒に吊り下げるように構成されている。また、本実施形態では、シート支持棒７の下方に、シート支持棒７に吊り下げられたシート１２のすそ部分を支持するための、断面山形の支持部材１９が配されている。
【００１８】
具体的には、排出口６からのシート１２の送り出し量に応じて、シートガイド１１は排出口６側を中心に下向きに回動する。これにより、シートガイド１１が退避位置（第２の位置）へ移動し、排出口６とシート支持棒７との間にシート１２の垂れ下がりを許容するための空間が形成される。また、各当接部材１０、１８もその回動軸を中心に回動する。ここでは、当接部材１８の方はシート１２をシート支持棒７に係止する当接位置へ移動し、当接部材１０の方はシート１２に接触しない退避位置へ移動する。こうして図３の状態になると、シート１２は当接部材１８によりシート支持棒７上に係止されているので、記録が継続されていてもシート１２の当接部材１８から先の部分では移動しない。このため、排出口６とシート支持棒７との間に形成されるシートの撓み１７の量だけが増大していく。
【００１９】
さらに、目的の画像記録が終了するとシート１２の後端をカッター２で裁断する。これにより、シート１２の後端は排出口５から自重でシート支持棒７の上流側に滑り落ち、シート１２はその中央部分でシート支持棒７に吊り下げられた状態で積載される。このシート１２をシート支持棒７上に積載するときの動作は、シートガイド１１が退避位置へ移動する前にシートが裁断される場合も実質的に同じである。ここで、記録動作が終了する場合は、シート収納機構１００の動作を終了しても良く、あるいは、シートガイド１１及び当接部材１０、１８を記録開始前の状態（図２の状態）まで戻しても良い。また、連続的に記録ジョブがある場合は、ジョブを継続したままシートガイド１１及び当接部材１０、１８を図３の状態から図２の状態まで戻す。
【００２０】
図２の状態では、当接部材１０はシート１２をシート支持棒７に係止する当接位置で停止し、当接部材１８はシート１２に接触しない退避位置で停止している。また、図２の状態では、シート１２は、当接部材１０により係止された状態となっている。このため、積載されたシートを定位置に保持することができ、次のシートがシートガイド１１の先端部からシート支持棒７ヘ垂下し、積載されたシートの表面に沿いながら移動しても、積載されたシートが移動したりズレたりすることはない。また、次のシートも、安定した吊り下げ状態で積載することができる。本実施形態では、シート支持棒７に吊り下げられたシート１２は、すその部分で山型の支持部材１９により支持されている。
【００２１】
以上説明したように、本実施形態では、排出口６からのシート１２の送り出し量に応じて２個の当接部材１０、１８を交互にシート支持棒７に係止させる。これにより、排出されたシートを当接部材によりシート支持棒に係止した状態でシート支持棒に吊り下げる。すなわち、排出されるシート１２の長さに応じて２個の当接部材１０、１８を交互にシート支持棒７に当接させることにより、排出されたシートを長さ方向の中間部分でシート支持棒７に吊り下げるように構成されている。これにより、シート１２を二つ折りとなる吊り下げ状態で積載するに際し、複数枚の異なるサイズのシートを積載する場合でも、容易に揃った状態で積載することが可能になる。
【００２２】
（第２の実施形態）
図４は本発明の第２の実施形態に係るシート収納機構のシートガイドの斜視図である。図５は図４のシート収納機構においてシートガイドが案内位置にあるときの中央部縦断面図である。図６は図４のシート収納機構においてシートガイドが退避位置にあるときの中央部縦断面図である。第２の実施形態に係るシート収納機構２００は、第１の実施形態に係るシート収納機構１００に対し、シート１２をシート支持棒７に係止させる当接部材の構成が異なっており、その他の構成は実質的に同じである。
【００２３】
図４〜図６において、シート収納機構２００は、記録装置５００からシート１２を排出させる排出口６に接続させるように、一対の脚２０、２１上に配されている。これらの脚２０、２１は、記録装置５００を支持するスタンド１３に連結されている。左右の脚２０、２１をステー１４で連結することで、高い剛性を有するフレームが構成されている。左右の脚２０、２１の中間部分を連結するようにして、排出口６と平行な姿勢でシート支持棒２２が配されている。排出口６（その延び出し部６ａ）とシート支持棒２２との間には、送り出されるシート１２をシート支持棒２２へ案内するためのシートガイド１１が配されている。シート支持棒２２の前後方向に略対向する近傍の２箇所に、当接部材２４、２５が配されている。当接部材２４、２５は、それぞれ、シート支持棒２２と平行に延びるシャフト２６の長さ方向複数位置（図示の例では２箇所）に押圧用の円筒部２７を配した構成を有する。
【００２４】
一方の当接部材２４は、両側の脚２０、２１に形成されたガイド溝２９にシャフト２６の両端部を摺動可能に嵌合させることにより、該ガイド溝２９に沿って移動可能に支持されている。つまり、当接部材２４は、ガイド溝２９に沿って移動可能であり、円筒部２７がシート支持棒２２に押圧される当接位置（図６）とシート支持棒から離間する退避位置（図５）との間で移動可能に支持されている。他方の当接部材２５は、両側の脚２０、２１に形成されたガイド溝３０にシャフト２６の両端部を摺動可能に嵌合させることにより、該ガイド溝３０に沿って移動可能に支持されている。各ガイド溝３０は、各脚２０、２１の後方へ（記録装置側へ）延び出したアーム部分２０ａ、２１ａに形成されている。つまり、当接部材２５は、ガイド溝３０に沿って移動可能であり、円筒部２７がシート支持棒２２に押圧される当接位置（図５）とシート支持棒から離間する退避位置（図６）との間で移動可能に支持されている。
【００２５】
当接部材２４、２５は、シート１２の排出口６からの送り出し量に応じてその移動及び停止位置を制御される。特に、本実施形態では、当接部材２４、２５は、シート支持棒２２に対して平行な姿勢を保った移動可能に配されている。そして、当接部材２４、２５は、当接位置にあるときにシート１２をシート支持棒２２に係止させることができる。この場合、一方の当接部材２５は、第１の実施形態における当接部材１０と同様、収納動作終了後にシート支持棒２２に吊り下げられるシート１２を該シート支持棒に係止するために使用される。他方の当接部材２４は、第１の実施形態における当接部材１８と同様、シート１２をシート支持棒２２に吊り下げる過程で必要となるシートの撓み１７を形成するために使用される。第２の実施形態に係るシート収納機構２００は、以上説明した点以外の部分では、前述の第１の実施形態と同様の構成を有する。従って、対応する部分を同一符号で示し、それらの詳細説明は省略する。
【００２６】
次に、図４〜図６を用いて、第２の実施形態に係るシート収納機構２００の動作について説明する。図５の状態では、シートガイド１１は送り出されるシート１２を撓みのない自然形をもって案内する位置にあり、当接部材２４はシート支持棒２２から離間した退避位置にあり、当接部材２５はシート支持棒２２に当接する当接位置にある。記録装置５００により目的の画像記録の最中もしくは目的の画像記録を終了したシート１２は、図５に示すように、排出口６から送り出され、シートガイド１１に沿って案内された後、その先端部から垂下する。そして、シート支持棒２２の先端側（図示右側）の周面に沿いながら送り出される。
【００２７】
送り出されるに従って、シート１２の目的の画像記録が行われる（又は行われた）長さの略中央部分がシート支持棒２２の上に到達した状態となる。図５中のシート１２は、このようなシート長さの半端に達した状態を示す。目的の画像記録の長さの略半分の位置がシート支持棒２２に到達したことは、シートの送り出し量及び画像記録の長さに基づいて検知することができる。これを検知した時点、又はこの直後に、シートガイド１１及び当接部材２４、２５を、図５の状態から図６の状態へ移動させる。すなわち、シートガイド１１を案内位置から退避位置へ移動させるとともに、一方の当接部材２４を当接位置から離間位置へ退避させ、他方の当接部材２５を退避位置から当接位置へ移動させる。
【００２８】
具体的には、シートガイド１１が下向きに回動することにより、排出口６とシート支持棒２２との間にシート１２の垂れ下がりを許容するための空間が形成される。当接部材２４は、ガイド溝２９に沿って、シート１２をシート支持棒２２に係止する当接位置へ移動する。当接部材２５は、ガイド溝３０に沿って、シート支持棒２２から離間した退避位置へ移動する。ガイド溝２９、３０は、それぞれ両側の脚２０、２１に形成されている。特に、ガイド溝３０は、脚２０、２１の略水平方向のアーム部分２０ａ、２１ａのそれぞれに形成されている。こうして図６の状態にすると、シート１２は当接部材２４によりシート支持棒２２上に係止されているので、記録動作に伴ってシート１２の送り出しが継続されていても、該シートの当接部材２４から先の部分では移動しない。このため、排出口６とシート支持棒２２との間に形成されるシートの撓み１７の量が増大していく。
【００２９】
さらに、目的の画像記録が終了するとシート１２の後端をカッター２で裁断する。これにより、シート１２の後端は排出口５から自重で滑り落ち、シート１２は二つ折り状態になって中間部分でシート支持棒２２に吊り下げられ状態で積載される。シート１２をシート支持棒２２上に積載するときの動作は、シートガイド１１が退避位置へ移動する前にシートがカッター２で裁断される場合も実質的に同じである。また、ここで記録動作が終了する場合は、そのままシート収納機構２００の動作を終了しても良く、あるいは、シートガイド１１及び当接部材２４、２５を記録開始前の状態（図５の状態）まで戻しても良い。また、連続的に記録ジョブがある場合は、ジョブを継続したままシートガイド１１及び当接部材２４、２５を図６の状態から図５の状態へ戻す。
【００３０】
図５の状態では、当接部材２５はシート支持棒２２に当接した当接位置で停止し、当接部材２４はシート支持棒２２から離間した退避位置に停止している。また、図５の状態では、積載されたシート１２は、当接部材２５によりシート支持棒２２に係止されている。このため、積載されたシートを定位置に保持でき、次のシートがシートガイド１１の先端部からシート支持棒２２ヘ垂下し、積載されたシートの表面に沿いながら移動しても、積載されたシートが移動したりズレたりすることはない。また、次のシートも、前述と同様に安定した状態で積載することができる。
【００３１】
以上説明したように、本実施形態でも、排出口６からのシート１２の送り出し量に応じて２個の当接部材１０、１８を交互にシート支持棒７に係止させる。これにより、排出されたシートを当接部材によりシート支持棒に係止した状態でシート支持棒に吊り下げる。すなわち、排出されるシート１２の長さに応じて２個の当接部材１０、１８を交互にシート支持棒７に当接させることにより、排出されたシートを長さ方向の中間部分で二つ折り状態でシート支持棒７に吊り下げるように構成されている。これにより、シート１２を二つ折り状態で吊り下げて積載するに際し、複数枚の異なるサイズのシートを積載する場合でも、容易に揃った状態で積載することが可能になる。
【００３２】
また、以上説明した各実施形態に係るシート収納機構によれば、排出された記録済みのシートを広げたままの状態で収納することができる。なお、排紙トレイ上に水平又は水平に近い状態で積載する従来のシート収納機構では、シートの面積と同等又はそれ以上の収容スペースを必要としていた。これに対し、上述の各実施形態によれば、シート支持棒７、２２にシート１２を略逆Ｕ字状に吊り下げた状態で回収できるため、収納トレイのような場所を必要としない。従って、シート収納機構を使用する機器の小型化を図ることができる。また、折り目を付けることなく記録されたシートを回収することができる。さらに、シートを係止する手段として移動可能な当接部材１０、１８又は２４、２５を二箇所に設け、どちらか一方の当接部材で収納済みのシートを係止して積載することができる。このため、複数枚のサイズが異なるシートであっても、ズレを生じることなく、揃った積載で保持することができる。
【００３３】
なお、以上の実施形態では、本発明に係るシート収納機構を用いて記録装置から排出されるシートを収納する場合を例に挙げて説明した。しかし、本発明に係るシート収納機構は、これに限定されるものではなく、シートを取り扱う機器であれば、記録装置以外の機器から排出されるシートを収納する場合に広く適用可能である。
【図面の簡単な説明】
【００３４】
【図１】本発明の第１の実施形態に係るシート収納機構のシートガイドが退避位置にあるときの斜視図である。
【図２】図１のシート収納機構のシートガイドが案内位置にあるときの中央部縦断面図である。
【図３】図１のシート収納機構のシートガイドが退避位置にあるときの中央部縦断面図である。
【図４】本発明の第２の実施形態に係るシート収納機構のシートガイドが退避位置にあるときの斜視図である。
【図５】図４のシート収納機構のシートガイドが案内位置にあるときの中央部縦断面図である。
【図６】図４のシート収納機構のシートガイドが退避位置にあるときの中央部縦断面図である。
【符号の説明】
【００３５】
１        記録ヘッド（記録手段）
２        カッター
６        排出口
７、２２      シート支持棒
１０、１８、２４、２５      当接部材
１１      シートガイド
１２      シート
１７      シートの撓み
２９、３０      ガイド溝
１００    シート収納機構
２００    シート収納機構
５００    記録装置
【図１】
2008094565.tif 000003
【図２】
2008094565.tif 000004
【図３】
2008094565.tif 000005
【図４】
2008094565.tif 000006
【図５】
2008094565.tif 000007
【図６】
2008094565.tif 000008